(57)【要約】【課題】装置の小型化およびコストダウンを実現でき、不特定のユーザが使用でき、操作を容易にする、読取画像送信装置、読取画像送信方法、およびプログラムを提供することを課題とする。【解決手段】本発明は、ＩＣカード読取装置と、画像読取装置と、携帯端末通信インターフェースとに接続された、記憶部と制御部とを少なくとも備えた読取画像送信装置であって、ＩＣカード読取装置を制御して利用者のＩＣカードから読取った識別情報と、携帯端末通信インターフェースを制御して利用者の携帯端末から受信した宛先情報とを対応付けて識別情報対応宛先情報として記憶し、ＩＣカードから読取った識別情報に対応する、記憶された識別情報対応宛先情報に基づいて、画像読取装置を制御して原稿から読取った画像情報を送信することを特徴とする。【選択図】        図１
2008219771.tif 000002
【特許請求の範囲】
【請求項１】
ＩＣカード読取装置と、画像読取装置と、携帯端末通信インターフェースとに接続された、記憶部と制御部とを少なくとも備えた読取画像送信装置であって、
上記記憶部は、
上記ＩＣカード読取装置から読み取った利用者のＩＣカードの識別情報と、上記携帯端末通信インターフェースを介して上記利用者の携帯端末から受信した宛先情報とを対応付けて識別情報対応宛先情報として記憶する識別情報対応宛先情報記憶手段、を備え、
上記制御部は、
上記ＩＣカード読取装置を制御して上記利用者の上記ＩＣカードから上記識別情報を読取る識別情報読取手段と、
上記画像読取装置を制御して原稿から読取った画像情報を、上記識別情報に対応する、上記識別情報対応宛先情報記憶手段によって記憶された上記識別情報対応宛先情報を用いて送信する画像送信手段と、
を備えたことを特徴とする、読取画像送信装置。
【請求項２】
請求項１に記載の読取画像送信装置であって、上記識別情報対応宛先情報および上記画像情報を外部記憶装置に記憶することを特徴とする、読取画像送信装置。
【請求項３】
請求項１または２に記載の読取画像送信装置であって、上記携帯端末通信インターフェースが赤外線通信インターフェースであることを特徴とする、読取画像送信装置。
【請求項４】
ＩＣカード読取装置と、画像読取装置と、携帯端末通信インターフェースとに接続された、記憶部と制御部とを少なくとも備えた読取画像送信装置において実行される読取画像送信方法であって、
上記記憶部は、上記ＩＣカード読取装置から読み取った利用者のＩＣカードの識別情報と、上記携帯端末通信インターフェースを介して上記利用者の携帯端末から受信した宛先情報とを対応付けて識別情報対応宛先情報として記憶する識別情報対応宛先情報記憶手段、を備えており、
上記制御部において実行される、
上記携帯端末通信インターフェースを介して上記利用者の上記携帯端末から上記宛先情報を受信する宛先情報受信ステップと、
上記ＩＣカード読取装置を制御して上記利用者の上記ＩＣカードから上記識別情報を読取る識別情報読取ステップと、
上記画像読取装置を制御して原稿から画像情報を読取る画像読取ステップと、
上記画像読取ステップにおいて読取った画像情報を、上記識別情報読取ステップにおいて読取られた上記識別情報に対応する、上記識別情報対応宛先情報記憶手段によって記憶された上記識別情報対応宛先情報を用いて送信する画像送信ステップと、
を含むことを特徴とする読取画像送信方法。
【請求項５】
請求項４に記載の読取画像送信方法であって、上記識別情報対応宛先情報および上記画像情報を外部記憶装置に記憶することを特徴とする、読取画像送信方法。
【請求項６】
請求項４または５に記載の読取画像送信方法であって、上記携帯端末通信インターフェースが赤外線通信インターフェースであることを特徴とする、読取画像送信方法。
【請求項７】
ＩＣカード読取装置と、画像読取装置と、携帯端末通信インターフェースとに接続された、記憶部と制御部とを少なくとも備えた読取画像送信装置に実行させるためのプログラムであって、
上記記憶部は、上記ＩＣカード読取装置から読み取った利用者のＩＣカードの識別情報と、上記携帯端末通信インターフェースを介して上記利用者の携帯端末から受信した宛先情報とを対応付けて識別情報対応宛先情報として記憶する識別情報対応宛先情報記憶手段、を備えており、
上記制御部において実行される、
上記携帯端末通信インターフェースを介して上記利用者の上記携帯端末から上記宛先情報を受信する宛先情報受信ステップと、
上記ＩＣカード読取装置を制御して上記利用者の上記ＩＣカードから上記識別情報を読取る識別情報読取ステップと、
上記画像読取装置を制御して原稿から画像情報を読取る画像読取ステップと、
上記画像読取ステップにおいて読取った画像情報を、上記識別情報読取ステップにおいて読取られた上記識別情報に対応する、上記識別情報対応宛先情報記憶手段によって記憶された上記識別情報対応宛先情報を用いて送信する画像送信ステップと、
を含むことを特徴とするプログラム。
【発明の詳細な説明】
【技術分野】
【０００１】
本発明は、読取画像送信装置、読取画像送信方法、およびプログラムに関し、画像読取装置を用いて読取った画像を送信する、読取画像送信装置、読取画像送信方法、およびプログラムに関する。
【背景技術】
【０００２】
従来、ネットワークスキャナ等の読取画像送信装置を用いて読取った画像を送信する場合においては、画像の送信先のメールアドレス等の宛先情報を利用者に入力させるために、キーボード等の入力装置や表示パネル等の入力機能付表示装置等を用いていた。
【０００３】
例えば、従来のネットワークスキャナ等の読取画像送信装置は、利用者に、他の情報端末等からネットワークを介して宛先情報を事前に入力させていた。
【０００４】
ここで、特許文献１の画像通信方法は、利用者が宛先情報を携帯電話から使用時に入力し、ユーザインターフェース等を介して、画像の送信先を画像通信装置に送信するものである。
【０００５】
また、特許文献２のネットワークスキャナは、ＩＣカードをユーザ認証機能として用い、利用者により事前に利用予約データベースに登録された宛先情報に基づいて、読取った画像を送信していた。
【０００６】
【特許文献１】特開２００５−２７７７９４号公報
【特許文献２】特開２００１−１４８７５３号公報
【発明の開示】
【発明が解決しようとする課題】
【０００７】
しかしながら、従来の読取画像送信装置においては、宛先情報等を入力させるために、装置そのものに通常キーボード等の入力装置および表示パネル等の入力機能付表示装置等を取り付ける必要があるため、結果として装置が大型化し、コストが高くなるという問題点を有している。
【０００８】
また、他の情報端末等からネットワークを介して読取画像送信装置に宛先情報等を入力させる場合でも、利用者のユーザ登録を事前に必要とするため、不特定のユーザが使用できないという問題点を有している。
【０００９】
特に、特許文献１の方法では、利用者が送信を行う際には、毎回携帯電話から入力しなければならず、操作が煩雑になり頻繁に使用するユーザに負担が大きいという問題点を有している。
【００１０】
また特に、特許文献２の方法では、ＩＣカードを使用するため操作が容易となるが、事前に登録されたＩＤのみが利用可能であり、不特定のユーザの使用が困難であるという問題点を有している。
【００１１】
本発明は、上記に鑑みてなされたものである。本発明において、装置の小型化およびコストダウンを実現でき、不特定のユーザが使用でき、操作を容易にする、読取画像送信装置、読取画像送信方法、およびプログラムを提供することを目的とする。
【課題を解決するための手段】
【００１２】
このような目的を達成するため、請求項１に記載の読取画像送信装置は、ＩＣカード読取装置と、画像読取装置と、携帯端末通信インターフェースとに接続された、記憶部と制御部とを少なくとも備えた読取画像送信装置であって、上記記憶部は、上記ＩＣカード読取装置から読み取った利用者のＩＣカードの識別情報と、上記携帯端末通信インターフェースを介して上記利用者の携帯端末から受信した宛先情報とを対応付けて識別情報対応宛先情報として記憶する識別情報対応宛先情報記憶手段、を備え、上記制御部は、上記ＩＣカード読取装置を制御して上記利用者の上記ＩＣカードから上記識別情報を読取る識別情報読取手段と、上記画像読取装置を制御して原稿から読取った画像情報を、上記識別情報に対応する、上記識別情報対応宛先情報記憶手段によって記憶された上記識別情報対応宛先情報を用いて送信する画像送信手段と、を備えたことを特徴とする。
【００１３】
また、請求項２に記載の読取画像送信装置は、請求項１に記載の読取画像送信装置において、上記識別情報対応宛先情報および上記画像情報を外部記憶装置に記憶することを特徴とする。
【００１４】
また、請求項３に記載の読取画像送信装置は、請求項１または２に記載の読取画像送信装置において、上記携帯端末通信インターフェースが赤外線通信インターフェースであることを特徴とする。
【００１５】
また、請求項４に記載の読取画像送信方法は、ＩＣカード読取装置と、画像読取装置と、携帯端末通信インターフェースとに接続された、記憶部と制御部とを少なくとも備えた読取画像送信装置において実行される読取画像送信方法であって、上記記憶部は、上記ＩＣカード読取装置から読み取った利用者のＩＣカードの識別情報と、上記携帯端末通信インターフェースを介して上記利用者の携帯端末から受信した宛先情報とを対応付けて識別情報対応宛先情報として記憶する識別情報対応宛先情報記憶手段、を備えており、上記制御部において実行される、上記携帯端末通信インターフェースを介して上記利用者の上記携帯端末から上記宛先情報を受信する宛先情報受信ステップと、上記ＩＣカード読取装置を制御して上記利用者の上記ＩＣカードから上記識別情報を読取る識別情報読取ステップと、上記画像読取装置を制御して原稿から画像情報を読取る画像読取ステップと、上記画像読取ステップにおいて読取った画像情報を、上記識別情報読取ステップにおいて読取られた上記識別情報に対応する、上記識別情報対応宛先情報記憶手段によって記憶された上記識別情報対応宛先情報を用いて送信する画像送信ステップと、を含むことを特徴とする。
【００１６】
また、請求項５に記載の読取画像送信方法は、請求項４に記載の読取画像送信方法において、上記識別情報対応宛先情報および上記画像情報を外部記憶装置に記憶することを特徴とする。
【００１７】
また、請求項６に記載の読取画像送信方法は、請求項４または５に記載の読取画像送信方法において、上記携帯端末通信インターフェースが赤外線通信インターフェースであることを特徴とする。
【００１８】
また、請求項７に記載のプログラムは、ＩＣカード読取装置と、画像読取装置と、携帯端末通信インターフェースとに接続された、記憶部と制御部とを少なくとも備えた読取画像送信装置に実行させるためのプログラムであって、上記記憶部は、上記ＩＣカード読取装置から読み取った利用者のＩＣカードの識別情報と、上記携帯端末通信インターフェースを介して上記利用者の携帯端末から受信した宛先情報とを対応付けて識別情報対応宛先情報として記憶する識別情報対応宛先情報記憶手段、を備えており、上記制御部において実行される、上記携帯端末通信インターフェースを介して上記利用者の上記携帯端末から上記宛先情報を受信する宛先情報受信ステップと、上記ＩＣカード読取装置を制御して上記利用者の上記ＩＣカードから上記識別情報を読取る識別情報読取ステップと、上記画像読取装置を制御して原稿から画像情報を読取る画像読取ステップと、上記画像読取ステップにおいて読取った画像情報を、上記識別情報読取ステップにおいて読取られた上記識別情報に対応する、上記識別情報対応宛先情報記憶手段によって記憶された上記識別情報対応宛先情報を用いて送信する画像送信ステップと、を含むことを特徴とする。
【００１９】
または、本発明記録媒体に関するものであり、請求項７に記載されたプログラムを記録したことを特徴とする。
【発明の効果】
【００２０】
この発明によれば、読取画像送信装置が利用者の携帯端末（例えば、携帯電話等）と通信する携帯端末通信インターフェース（例えば、赤外線通信インターフェース等）を備えるため、携帯端末を宛先情報の入力手段として使用でき、装置を小型化できかつ開発コストをおさえることができる。
【００２１】
また、この発明によれば、読取画像送信装置が、携帯端末通信インターフェースを介して利用者の携帯端末から受信した宛先情報と、上記利用者のＩＣカードから読取った識別情報とを識別情報対応宛先情報として対応付けたデータベースを使用時に作成するので、識別情報の登録後は、ＩＣカード読取装置にＩＣカードをかざす１動作で読取画像送信処理が可能となり、操作を容易化することができる。
【００２２】
また、この発明によれば、読取画像送信装置が、識別情報対応宛先情報および画像情報を外部記憶装置に記憶することができるので、保守や維持管理が容易となり、さらにセキュリティーを向上することができる。
【００２３】
また、この発明によれば、読取画像送信装置の携帯端末通信インターフェースが赤外線通信インターフェースであるので、携帯電話等に通常搭載される赤外線通信を利用することが可能となり、汎用性を高めることができる。
【発明を実施するための最良の形態】
【００２４】
以下に、本発明にかかる読取画像送信装置、読取画像送信方法、およびプログラムの実施の形態を図面に基づいて詳細に説明する。なお、この実施の形態によりこの発明が限定されるものではない。
【００２５】
[本発明の概要]
以下、本発明の概要について説明し、その後、本発明の構成および処理等について詳細に説明する。図１は、本発明の基本原理を示す構成図であり、図２は、本発明の基本原理を示すフローチャートである。
【００２６】
本発明は、概略的に、以下の基本的特徴を有する。すなわち、図１に示すように本発明の読取画像送信装置１００は、ＩＣカード読取装置１１６と、画像読取装置１１８と、携帯端末通信インターフェース１１２とに接続され、記憶部と制御部とを少なくとも備えて構成される。
【００２７】
まず、本発明の構成について説明する。本発明の読取画像送信システムは、概略的に、外部記憶装置１１４やＩＣカード読取装置１１６や画像読取装置１１８に接続された読取画像送信装置１００と、携帯端末通信インターフェース１１２を介して読取画像送信装置１００に通信可能に接続された携帯端末５００と、ネットワーク３００を介して読取画像送信装置１００に通信可能に接続されたメールサーバ装置４００と、から構成される。
【００２８】
図１において、ネットワーク３００は、読取画像送信装置１００とメールサーバ装置４００とを相互に接続する機能を有し、例えば、インターネット、イントラネットおよび電話回線網等である。
【００２９】
図１において、メールサーバ装置４００は、ネットワーク３００を介して、読取画像送信装置１００に相互に接続され、画像情報等を添付した電子メールを他のメールサーバ装置へ送受信する機能を有する。
【００３０】
ここで、メールサーバ装置４００は、ＷＥＢサーバやＡＳＰサーバ等として構成していてもよく、そのハードウェア構成は、一般に市販されるワークステーション、パーソナルコンピュータ等の情報処理装置およびその付属装置により構成していてもよい。また、メールサーバ装置４００の各機能は、メールサーバ装置４００のハードウェア構成中のＣＰＵ、ディスク装置、メモリ装置、入力装置、出力装置、通信制御装置等およびそれらを制御するプログラム等により実現される。
【００３１】
ここで、携帯端末装置５００は、例えば、携帯電話等であり、少なくとも記憶部、制御部、入力装置、表示装置、および赤外線通信手段を備える（図示せず）。
【００３２】
次に本発明の処理を図２を参照して説明する。まず、読取画像送信装置１００は、制御部１０２の宛先情報受信部１０２ａの処理により、携帯端末通信インターフェース１１２を介して利用者の携帯端末から宛先情報を受信する（ステップＡ−１）。
【００３３】
ここで、携帯端末通信インターフェース１１２は、例えば、赤外線通信インターフェースであってもよい。
【００３４】
そして、読取画像送信装置１００は、制御部１０２の識別情報読取部１０２ｂの処理により、ＩＣカード読取装置１１６を制御して利用者のＩＣカードから識別情報を読取る（ステップＡ−２）。
【００３５】
また、読取画像送信装置１００は、制御部１０２の識別情報読取部１０２ｂの処理により、ＩＣカード読取装置１１６から読取った利用者のＩＣカードの識別情報と、携帯端末通信インターフェース１１２を介して利用者の携帯端末５００から受信した宛先情報とを対応付けて識別情報対応宛先情報として記憶部１０６の識別情報対応宛先情報データベース１０６ａに記憶する（ステップＡ−３）。
【００３６】
ここで、本読取画像送信装置１００は、ステップＡ−３において、識別情報対応宛先情報および画像情報を外部記憶装置１１４に記憶してもよい。
【００３７】
また、読取画像送信装置１００は、制御部１０２の画像読取部１０２ｃの処理により、画像読取装置１１８を制御して原稿から画像情報を読取る（ステップＡ−４）。
【００３８】
そして、読取画像送信装置１００は、制御部１０２の画像送信部１０２ｄの処理により、画像読取装置１１８を制御して原稿から読取った画像情報を、ステップＡ−２にて読取った識別情報に対応する識別情報対応宛先情報を用い、ネットワーク３００を介してメールサーバ４００へ送信する（ステップＡ−５）。
【００３９】
これにより、読取画像送信装置１００が利用者の携帯端末５００（例えば、携帯電話等）と通信する携帯端末通信インターフェース１１２（例えば、赤外線通信インターフェース等）を備えるため、携帯端末５００を宛先情報の入力手段として使用でき、装置を小型化できかつ開発コストをおさえることができる。
【００４０】
また、読取画像送信装置１００が携帯端末通信インターフェースを１１２介して利用者の携帯端末５００から受信した宛先情報と、上記利用者のＩＣカードから読取った識別情報とを識別情報対応宛先情報として対応付けたデータベースを使用時に作成するので、識別情報の登録後は、ＩＣカード読取装置１１６にＩＣカードをかざす１動作で読取画像送信処理が可能となり、操作を容易化することができる。
【００４１】
また、読取画像送信装置１００が識別情報対応宛先情報および画像情報を外部記憶装置１１４に記憶することができるので、保守や維持管理が容易となり、さらにセキュリティーを向上することができる。
【００４２】
また、読取画像送信装置１００の携帯端末通信インターフェース１１２が、例えば赤外線通信インターフェースであるので、携帯電話等に通常搭載される赤外線通信を利用することが可能となり、汎用性を高めることができる。
【００４３】
以上で、本発明の概要の説明を終える。
【００４４】
[本読取画像送信装置の構成]
次に、本読取画像送信装置１００の構成について、図３を用いて説明する。図３は、本読取画像送信装置１００の論理構成の一例を示す物理ブロック図であり、該構成のうち本発明に関係する部分のみを概念的に示している。
【００４５】
図３の物理ブロック図に示すように、本読取画像送信装置１００は、概略的に、ネットワーク３００への通信を制御するネットワークインターフェース１１と、読取画像送信装置１００全体を統括的に制御するＭＰＵ１２（図１における制御部１０２）と、プログラムやデータを一時記憶するＲＡＭ１３（図１における記憶部１０６）と、無線通信を行うＩｒＤＡ１４ａやＢｌｕｅＴｏｏｔｈ（登録商標）１４ｂ等（図１における携帯端末通信インターフェース）と、周辺機器と本装置とを結ぶＵＳＢインターフェース１５と、ＯＳや制御プログラム等を記憶するＲＯＭ１６（図１における記憶部１０６）と、ＩＣカードからＩＤ等の識別情報を読み取るＩＣカードリーダー１７（図１におけるＩＣカード読取装置１１６）と、原稿から画像を読取るスキャナ１８（図１における画像読取装置１１８）と、アプリケーションプログラムやイメージデータやアドレス・テーブルを記憶する外部ストレージ１９（図１における外部記憶装置１１４）と、をバスインターフェース２０を介して通信可能に構成される。
【００４６】
次に、図３における本読取画像送信装置１００の構成を、上述した図１に対応付けて説明する。
【００４７】
図３における、各種処理に用いる各種プログラムやイメージデータ（例えば、ＰＤＦ等）やアドレス・テーブル等を格納する、外部ストレージ１９やＲＯＭ１６等のストレージ手段は、図１における記憶部１０６に対応する。
【００４８】
これらのストレージ手段の各要素のうち、外部ストレージ１９のアドレス・テーブルは、ＩＣカードリーダー１７から読取った利用者のＩＣカードの識別情報と、ＩｒＤＡ１４ａやＢｌｕｅＴｏｏｔｈ（登録商標）１４ｂ等を介して受信した宛先情報とを対応付けたデータを記憶するテーブルであり、図１における識別情報対応宛先情報データベース１０６ａに対応する。
【００４９】
また、外部ストレージ１９のイメージデータは、スキャナ１８にて原稿から読取られたイメージデータであり、図１における画像情報データベース１０６ｂに対応する。
【００５０】
また、図３に示したＭＰＵ１２は、ＲＯＭ１６に記憶されたＯＳ（Ｏｐｅｒａｔｉｎｇ  Ｓｙｓｔｅｍ）等の制御プログラム、外部ストレージ１９に記憶された各種の処理手順等を規定したプログラム、および所要データを格納するための内部メモリを有し、これらのプログラム等により、種々の処理を実行するための情報処理を行うものであり、図１における制御部１０２に対応する。
【００５１】
また、図３におけるＭＰＵ１２は、ＩｒＤＡ１４ａやＢｌｕｅＴｏｏｔｈ（登録商標）１４ｂ等を介して、利用者の携帯端末５００から送信された宛先情報等を受信することにより、宛先情報受信手段として機能する受信手段であり、図１における宛先情報受信部１０２ａに対応する。
【００５２】
また、図３におけるＭＰＵ１２は、ＵＳＢインターフェース１５を介して、ＩＣカードリーダー１７を制御し、利用者のＩＣカードから識別情報を読取ることにより、識別情報読取手段として機能する読取手段であり、図１における識別情報読取部１０２ｂに対応する。
【００５３】
また、図３におけるＭＰＵ１２は、ＵＳＢインターフェース１５を介して、スキャナ１８を制御して原稿から画像情報を読取ることにより、画像読取手段として機能する読取手段であり、図１における画像読取部１０２ｃに対応する。
【００５４】
また、図３におけるＭＰＵ１２は、外部ストレージ１９のアドレス・テーブルを参照して、ＩＣカードから読取られた識別情報に対応する識別情報対応画像情報に基づいて、外部ストレージ１９に記憶されたイメージデータを、ネットワークインターフェース１１を制御して送信することにより、画像送信手段として機能する送信手段であり、図１における画像送信部１０２ｄに対応する。
【００５５】
ここで、図３におけるＭＰＵ１２は、ＩＣカードリーダー１７により読取られた識別情報が、外部ストレージ１９のアドレス・テーブルに登録されているか否かを判断してもよい。また、登録されていない場合は、ＩＣカードリーダー１７により読取られた識別情報と、ＩｒＤＡ１４ａやＢｌｕｅＴｏｏｔｈ（登録商標）１４ｂ等により受信した宛先情報とを対応付け、識別情報対応宛先情報として外部ストレージ１９のアドレス・テーブルに登録してもよい。
【００５６】
以上で、本システムの構成の説明を終える。
【００５７】
[本読取画像送信装置の処理]
次に、このように構成された本実施の形態における本読取画像送信装置１００の処理の一例について、以下に図４を参照して詳細に説明する。
【００５８】
図４は、本実施の形態における本読取画像送信装置１００の読取画像送信処理の一例を示すフローチャートである。
【００５９】
まず、読取画像送信装置１００に電源が投入されると（ステップＢ−１）、ＭＰＵ１２は、ＲＯＭ１６に記憶された制御プログラムを読み込み、システムを起動する（ステップＢ−２）。
【００６０】
次いで、ＭＰＵ１２は、外部ストレージ１９に記憶された、本実施形態における読取画像送信処理のアプリケーションプログラムを読み込み、実行する（ステップＢ−３）。
【００６１】
そして、ＭＰＵ１２は、ＩｒＤＡ１４ａやＢｌｕｅＴｏｏｔｈ（登録商標）１４ｂ等を制御して携帯端末５００からメールアドレス等の宛先情報を受信するよう制御し、また、ＩＣカードリーダー１７を制御してＩＣカードの識別情報を読取るよう制御する（ステップＢ−４）。
【００６２】
そして、ＭＰＵ１２は携帯端末５００から宛先情報を受信した場合（ステップＢ−５：Ｙｅｓ）、ステップＢ−１０に処理を移す。
【００６３】
ここで、ＩＣカードリーダー１７により識別情報が読取られた場合（ステップＢ−５：Ｎｏ）、ＭＰＵ１２は、外部ストレージ１９のアドレス・テーブルを参照し、読取られた識別情報が登録済みか否かを判断する（ステップＢ−６）。
【００６４】
そして、ＭＰＵ１２が、識別情報が登録済みと判断した場合（ステップＢ−６：Ｙｅｓ）、ＭＰＵ１２は、外部ストレージ１９のアドレス・テーブルに記憶された識別情報に対応する識別情報対応宛先情報を取り出し、ステップＢ−１０に処理を移す（ステップＢ−７）。
【００６５】
一方、ＭＰＵ１２により、識別情報が未登録と判断された場合（ステップＢ−６：Ｎｏ）、ＭＰＵ１２は、ＩｒＤＡ１４ａやＢｌｕｅＴｏｏｔｈ（登録商標）１４ｂ等を制御して、携帯端末５００から宛先情報を受信するよう制御する（ステップＢ−８）。
【００６６】
そして、ＩｒＤＡ１４ａやＢｌｕｅＴｏｏｔｈ（登録商標）１４ｂ等が携帯端末５００から宛先情報を受信した場合、ＭＰＵ１２は、受信した宛先情報と、ＩＣカードリーダー１７により読取られた識別情報とを対応付けて、外部ストレージ１９のアドレス・テーブルに識別情報対応宛先情報として格納し、ステップＢ−１０に処理を移す（ステップＢ−９）。
【００６７】
続いて、ＭＰＵ１２は、スキャナ１８を制御して原稿から画像情報を読取る（ステップＢ−１０）。
【００６８】
そして、ＭＰＵ１２は、スキャナ１８が読取った画像情報をＰＤＦフォーマット等の形式に変換し、外部ストレージ１９に格納する（ステップＢ−１１）。
【００６９】
そして、ＭＰＵ１２は、外部ストレージ１９に記憶されたイメージデータを、ＩｒＤＡ１４ａやＢｌｕｅＴｏｏｔｈ（登録商標）１４ｂ等により読取られた宛先情報、または、ＩＣカードリーダー１７により読取られた識別情報に対応する識別情報対応宛先情報に基づいて、ネットワーク３００を介してメールサーバ装置４００に送信する。（ステップＢ−１２）。これにて、処理が終了する。
【００７０】
以上で、本読取画像送信装置１００の処理の説明を終える。
【００７１】
［他の実施の形態］
さて、これまで本発明の実施の形態について説明したが、本発明は、上述した実施の形態以外にも、上記特許請求の範囲に記載した技術的思想の範囲内において種々の異なる実施の形態にて実施されてよいものである。
【００７２】
例えば、読取画像送信装置１００が識別情報対応宛先情報等を記憶部に格納する場合を一例に説明したが、読取画像送信装置１００とは別筐体で構成される外部記憶装置に識別情報対応宛先情報等を格納するよう構成してもよい。
【００７３】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００７４】
このほか、上記文献中や図面中で示した処理手順、制御手順、具体的名称、各処理の登録データや、データベース構成については、特記する場合を除いて任意に変更することができる。
【００７５】
また、読取画像送信装置１００に関して、図示の各構成要素は機能概略的なものであり、必ずしも物理的に図示の如く構成されていることを要しない。
【００７６】
例えば、読取画像送信装置１００の各装置が備える処理機能、特に制御部１０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現することができ、あるいは、ワイヤードロジックによるハードウェアとして実現することも可能である。尚、プログラムは、後述する記録媒体に記録されており、必要に応じて読取画像送信装置１００に機械的に読み取られる。すなわち、ＲＯＭまたはＨＤなどの記憶部１０６などは、ＯＳ（Ｏｐｅｒａｔｉｎｇ  Ｓｙｓｔｅｍ）として協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００７７】
また、このコンピュータプログラムは、読取画像送信装置１００に対して任意のネットワーク３００を介して接続されたアプリケーションプログラムサーバに記憶されていてもよく、必要に応じてその全部または一部をダウンロードすることも可能である。
【００７８】
また、本発明に係るプログラムを、コンピュータ読み取り可能な記録媒体に格納することもできる。ここで、この「記録媒体」とは、フレキシブルディスク、光磁気ディスク、ＲＯＭ、ＥＰＲＯＭ、ＥＥＰＲＯＭ、ＣＤ−ＲＯＭ、ＭＯ、ＤＶＤ等の任意の「可搬用の物理媒体」、あるいは、ＬＡＮ、ＷＡＮ、インターネットに代表されるネットワークを介してプログラムを送信する場合の通信回線や搬送波のように、短期にプログラムを保持する「通信媒体」を含むものとする。
【００７９】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【００８０】
記憶部１０６に格納される各種のデータベース等（識別情報対応宛先情報データベース１０６ａおよび画像情報データベース１０６ｂ）は、ＲＡＭ、ＲＯＭ等のメモリ装置、ハードディスク等の固定ディスク装置、フレキシブルディスク、光ディスク等のストレージ手段であり、各種処理やウェブサイト提供に用いる各種のプログラムやテーブルやデータベースやウェブページ用ファイル等を格納する。
【００８１】
また、読取画像送信装置１００は、既知のパーソナルコンピュータ、ワークステーション等の情報処理装置を接続し、該情報処理装置に本発明の方法を実現させるソフトウェア（プログラム、データ等を含む）を実装することにより実現してもよい。
【００８２】
更に、装置の分散・統合の具体的形態は図示するものに限られず、その全部または一部を、各種の付加等に応じた任意の単位で、機能的または物理的に分散・統合して構成することができる。
【産業上の利用可能性】
【００８３】
以上詳述に説明したように、本発明によれば、携帯端末を宛先情報の入力手段として使用でき、装置を小型化し開発コストをおさえることができ、またＩＤの登録後はＩＣカード読取装置にＩＣカードをかざす１動作で読取画像送信処理を可能にし、操作を容易化することができる、読取画像送信装置、読取画像送信方法、およびプログラムを提供することができるので、情報通信分野等において利用可能である。
【図面の簡単な説明】
【００８４】
【図１】本発明の基本原理を示す構成図である。
【図２】本発明の基本原理を示すフローチャートである。
【図３】本発明の構成の一例を示すブロック図である。
【図４】本発明の読取画像送信処理の一例を示すフローチャートである。
【符号の説明】
【００８５】
１００  読取画像送信装置
１０２  制御部
１０２ａ  宛先情報受信部
１０２ｂ  識別情報読取部
１０２ｃ  画像読取部
１０２ｄ  画像送信部
１０６  記憶部
１０６ａ  識別情報対応宛先情報データベース
１０６ｂ  読取画像データベース
１１２  携帯端末通信インターフェース
１１４  外部記憶装置
１１６  ＩＣカード読取装置
１１８  画像読取装置
３００  ネットワーク
４００  メールサーバ装置
５００  携帯端末
【図１】
2008219771.tif 000003
【図２】
2008219771.tif 000004
【図３】
2008219771.tif 000005
【図４】
2008219771.tif 000006